(57)【要約】【課題】天板の下方にパソコンを配置したとしても、パソコンの配線を事務用机の外部に露出させることなく敷設することができる事務用机を提供する。【解決手段】事務用机１０は、天板１２と、天板１２を支持する一対の脚板１３と、天板１２と一対の脚板１３との間に設けられる幕板１４と、を備え、幕板１４に配線を挿通するための配線挿通孔１４ａ，１４ａを設けると共に、配線挿通孔１４ａ，１４ａを覆うように幕板１４の裏面側に配線ボックス２０を配設し、配線ボックス２０の上部を天板１２より上方に突出させる。【選択図】図１
2008093329.tif 000002
【特許請求の範囲】
【請求項１】
天板と、前記天板を支持する一対の脚板と、前記天板と前記一対の脚板との間に設けられる幕板と、を備える事務用机であって、
前記幕板に配線を挿通するための配線挿通孔を設けると共に、前記配線挿通孔を覆うように前記幕板の裏面側に配線ボックスを配設し、
前記配線ボックスの上部を前記天板より上方に突出させることを特徴とする事務用机。
【請求項２】
前記天板の下方に収容可能、且つパソコンを収納可能な移動式のワゴンを備え、
前記ワゴンの後面に配線を引き出すための配線引出孔を設け、
前記ワゴンを前記天板の下方に収容することによって、前記配線挿通孔と前記配線引出孔が連通することを特徴とする請求項１に記載の事務用机。
【発明の詳細な説明】
【技術分野】
【０００１】
本発明は、オフィス等に設置される事務用机に関する。
【背景技術】
【０００２】
従来の事務用机として、幕板と脚板とが交差する後方の入隅部における脚板の内側面又は幕板の後面に、扉板の長手方向の一端部を開閉自在に枢着することにより、入隅部に縦長筒状の収納室を形成し、この収納室に一個又は複数の棚板を高さ調節可能に水平支持したものが知られている（例えば、特許文献１参照）。
【０００３】
従来の他の事務用机として、机の背面に着脱自在に装着した左右長手の配線ボックスの下面に、机とは別体の中空筒状の脚柱を着脱自在に固着し、この脚柱の内部と配線ボックスの内部とを連通させる一方、脚柱の一側面に切り開き形成した縦溝に蓋体を着脱自在に装着し、且つ蓋体の下端部又は脚柱の下面には、コード挿通溝を切り開き形成したものが知られている（例えば、特許文献２参照）。
【０００４】
従来の他の事務机として、モジュール構造系のための作業面を構成する水平な要素の架台として使用される水平部を上方に有すると共に、作業面に配置された電気機器に給電する電線の案内路として使用される下側部分と、この下側部分から上方に延び、電線の案内路及びコネクタ領域として使用される上側部分と、を備えた支柱を有するものが知られている（例えば、特許文献３参照）。
【０００５】
【特許文献１】実用新案登録第２５６９６１５号公報
【特許文献２】実公平５−１８９７８号公報
【特許文献３】特公平７−６３４１９号公報
【発明の開示】
【発明が解決しようとする課題】
【０００６】
しかしながら、上記特許文献１〜３に記載の事務用机では、天板の下方にパソコンを配置する場合、パソコンの配線が事務用机の外部に露出してしまうため、事務用机の美観が損なわれると共に、その配線が使用者の邪魔になってしまうという課題があった。
【０００７】
本発明は、このような不都合を解消するためになされたものであり、その目的は、天板の下方にパソコンを配置したとしても、パソコンの配線を事務用机の外部に露出させることなく敷設することができる事務用机を提供することにある。
【課題を解決するための手段】
【０００８】
本発明の上記目的は、下記の構成により達成される。
（１）  天板と、天板を支持する一対の脚板と、天板と一対の脚板との間に設けられる幕板と、を備える事務用机であって、幕板に配線を挿通するための配線挿通孔を設けると共に、配線挿通孔を覆うように幕板の裏面側に配線ボックスを配設し、配線ボックスの上部を天板より上方に突出させることを特徴とする事務用机。
（２）  天板の下方に収容可能、且つパソコンを収納可能な移動式のワゴンを備え、ワゴンの後面に配線を引き出すための配線引出孔を設け、ワゴンを天板の下方に収容することによって、配線挿通孔と配線引出孔が連通することを特徴とする（１）に記載の事務用机。
【発明の効果】
【０００９】
本発明の事務用机によれば、幕板に配線を挿通するための配線挿通孔を設けると共に、配線挿通孔を覆うように幕板の裏面側に配線ボックスを配設し、配線ボックスの上部を天板より上方に突出させるため、天板の下方にパソコンを配置したとしても、パソコンの配線を事務用机の外部に露出させることなく敷設することができる。
【発明を実施するための最良の形態】
【００１０】
以下、本発明に係る事務用机の一実施形態について、図面を参照して詳細に説明する。
図１は本発明に係る事務用机の一実施形態を説明するための正面図、図２は図１に示す事務用机のワゴンを取り外した状態の正面図、図３は図２に示す事務用机の平面図、図４は図２のＡ−Ａ線矢視断面図、図５は図４のＢ部拡大図、図６は図１に示す配線ボックスの正面図、図７は図６のＣ−Ｃ線矢視断面図、図８は図６のＤ−Ｄ線矢視断面図、図９は配線ボックスのカバーを取り外した状態の斜視図、図１０は図１に示すワゴンの正面図、図１１は図１０のＥ−Ｅ線矢視断面図、図１２は図１０のＦ−Ｆ線矢視断面図である。
【００１１】
本実施形態の事務用机１０は、図１〜図４に示すように、天板１２と、天板１２を支持する一対の脚板１３と、天板１２と一対の脚板１３との間に設けられる幕板１４と、を有する机本体１１と、机本体１１の天板１２の下方に収容可能なワゴン３０と、を備える。また、一対の脚板１３の下端面には、２個のアジャスタ１３ａ，１３ａがそれぞれ取り付けられる。
【００１２】
図２及び図４に示すように、幕板１４には、配線を挿通するための配線挿通孔１４ａ，１４ａが形成される。この配線挿通孔１４ａ，１４ａは、幕板１４の上下方向の同一線上に並び、且つ上下対称になるように配置される。このため、幕板１４を１８０度回転させることによって、配線挿通孔１４ａ，１４ａを机本体１１の左右どちら側にも配置することができる。そして、幕板１４の裏面側には、配線挿通孔１４ａ，１４ａを覆うように配線ボックス２０がネジ締結により取り付けられる。
【００１３】
配線ボックス２０は、図６〜図９に示すように、幕板１４にネジ締結され、幕板１４の配線挿通孔１４ａ，１４ａと連通する配線引込孔２１ａ，２１ａが形成される背面板２１と、背面板２１の幅方向端部に取り付けられる一対の側板２２と、一対の側板２２の下端部の正面側に幅方向に掛け渡される正面板２３と、背面板２１、一対の側板２２、及び正面板２３の下端開口を閉塞する底板２４と、一対の側板２２の上端部に幅方向に掛け渡され、取付状態において天板１２の上面と面接触する上面板２５と、一対の側板２２の上端部の背面側に幅方向に掛け渡され、取付状態において天板１２の上面に臨む前面板２６と、配線ボックス２０の正面及び上面を覆うカバー２７と、を備える。また、背面板２１の配線引込孔２１ａ，２１ａの上縁部分には、引き込まれた配線を敷設するための配線ダクト２８，２８が取り付けられる。
【００１４】
また、本実施形態の配線ボックス２０では、一対の側板２２の背面側に天板１２の外周縁部を嵌合させるための嵌合凹部２２ａが形成されており、図５に示すように、この嵌合凹部２２ａを天板１２の外周縁部に嵌合させることによって、幕板１４と背面板２１とが隣接すると共に、配線ボックス２０の上部が天板１２より上方に突出する。
【００１５】
また、前面板２６の幅方向略中央に凹部２６ａが形成されており、この凹部２６ａに連なるように上面板２５の上面に仕切板２５ａ，２５ａが固定される。これにより、上面板２５上に配線ボックス２０内に引き込まれた配線を机上に引き出すための配線引出路２９が形成される。また、前面板２６の仕切板２５ａ，２５ａより幅方向外側には、電源プラグやＬＡＮケーブル等を接続するためのコンセント２６ｂ，２６ｃが配設される。
【００１６】
また、カバー２７は、断面Ｌ字状の板状部材であって、一対の側板２２の内側面にそれぞれ突設される２本の掛止ピン２２ｂ，２２ｂに引っ掛けられることによって取り付けられる。そして、カバー２７の裏面には、掛止ピン２２ｂ，２２ｂに対応する位置に、掛止ピン２２ｂに引っ掛かけるための掛止板２７ａが取り付けられる。
【００１７】
ワゴン３０は、図１０〜図１２に示すように、パソコンＰＣを収納可能な移動式のワゴンであって、天板３１と、天板３１を支持する一対の側板３２，３３と、一対の側板３２，３３の下端部に固定され、四隅にキャスタ３４ａが配設される底板３４と、底板３４の上面の幅方向略中央に立設される仕切板３５と、仕切板３５の上端部と側板３２（図１０の左側）との間に掛け渡される固定棚板３６と、仕切板３５と側板３３（図１０の右側）との間に掛け渡され、着脱可能なピン３７ａにより上下方向に高さ調節可能な可動棚板３７と、一対の側板３２，３３の上端部の背面側に幅方向に掛け渡される上部補強板３８ａ、及び側板３３及び仕切板３５の下端部の背面側に幅方向に掛け渡される下部補強板３８ｂと、側板３２、底板３４、仕切板３５、及び固定棚板３６により形成される空間の背面側開口を閉塞する背面板３９と、この空間に配設される引き出し４０と、を備える。
【００１８】
そして、本実施形態のワゴン３０の後面には、一対の側板３２，３３、仕切板３５、固定棚板３６、及び下部補強板３８ａ，３８ｂにより、パソコンＰＣの配線を引き出すための配線引出孔４１が形成される。そして、配線引出孔４１は、ワゴン３０を机本体１１の天板１２の下方に収容することによって、幕板１４の配線挿通孔１４ａ，１４ａ及び配線ボックス２０の配線引込孔２１ａ，２１ａと連通する。
【００１９】
また、ワゴン３０には、天板３１、一対の側板３２，３３、底板３４、仕切板３５、及び固定棚板３６によりパソコンＰＣを収納するための収納空間ＰＳが形成されており、図１０に示すように、可動棚板３７を取り外す、若しくは下方に下げることによって、収納空間ＰＳの右側部分に縦置き型のパソコンＰＣを収納することができ、また、可動棚板３７を固定棚板３６の高さと面一にすることによって、収納空間ＰＳの上側部分に横置き型のパソコンＰＣを収納することができる。
【００２０】
以上説明したように、本実施形態の事務用机１０によれば、幕板１４に配線を挿通するための配線挿通孔１４ａ，１４ａを設けると共に、配線挿通孔１４ａ，１４ａを覆うように幕板１４の裏面側に配線ボックス２０を配設し、配線ボックス２０の上部を天板１２より上方に突出させるため、天板１２の下方にパソコンＰＣを配置したとしても、パソコンＰＣの配線を事務用机１０の外部に露出させることなく敷設することができる。これにより、事務用机１０の美観を維持することができると共に、その配線が使用者の邪魔になるということもない。
【００２１】
なお、本発明は、上記実施形態に例示したものに限定されるものではなく、本発明の要旨を逸脱しない範囲において適宜変更可能である。
例えば、上記実施形態では、本発明の事務用机にデスクトップ型パソコンを使用する場合を例示したが、ノート型パソコンを使用してもよい。
また、上記実施形態では、配線挿通孔は、幕板に２箇所設けられているが、幕板の形状が上下対称であれば、１箇所でも、２箇所以上設けられていてもよい。なお、この場合、配線ボックスの配線引込孔もそれに合わせて変更する。
【図面の簡単な説明】
【００２２】
【図１】本発明に係る事務用机の一実施形態を説明するための正面図である。
【図２】図１に示す事務用机のワゴンを取り外した状態の正面図である。
【図３】図２に示す事務用机の平面図である。
【図４】図２のＡ−Ａ線矢視断面図である。
【図５】図４のＢ部拡大図である。
【図６】図１に示す配線ボックスの正面図である。
【図７】図６のＣ−Ｃ線矢視断面図である。
【図８】図６のＤ−Ｄ線矢視断面図である。
【図９】配線ボックスのカバーを取り外した状態の斜視図である。
【図１０】図１に示すワゴンの正面図である。
【図１１】図１０のＥ−Ｅ線矢視断面図である。
【図１２】図１０のＦ−Ｆ線矢視断面図である。
【符号の説明】
【００２３】
１０      事務用机
１１      机本体
１２      天板
１３      脚板
１４      幕板
１４ａ    配線挿通孔
２０      配線ボックス
２１      背面板
２１ａ    配線引込孔
２２      側板
２３      正面板
２４      底板
２５      上面板
２６      前面板
２７      カバー
２８      配線ダクト
２９      配線引出路
３０      ワゴン
３１      天板
３２，３３    側板
３４      底板
３５      仕切板
３６      固定棚板
３７      可動棚板
４０      引き出し
４１      配線引出孔
【図１】
2008093329.tif 000003
【図２】
2008093329.tif 000004
【図３】
2008093329.tif 000005
【図４】
2008093329.tif 000006
【図５】
2008093329.tif 000007
【図６】
2008093329.tif 000008
【図７】
2008093329.tif 000009
【図８】
2008093329.tif 000010
【図９】
2008093329.tif 000011
【図１０】
2008093329.tif 000012
【図１１】
2008093329.tif 000013
【図１２】
2008093329.tif 000014